(57)【要約】【課題】空気の洩れ量を極力少なくして、ランニングコストを低く押さえることができる内圧防爆型の端末機を提供する。【解決手段】非危険場所から送られてくる空気をハウジング（２）内に導入し、ハウジング（２）内の圧力を高めて防爆構造とした内圧防爆型の端末機（１）において、ハウジング（２）内にカードリーダ本体（１３）を設け、カードリーダ本体（１３）の前面のハウジング（２）にカード挿入口（１８）を設け、該カード挿入口（１８）にカードガイド（２１）と中空パッキン（２２）で構成された気密保持手段（２０）を設けている。【選択図】図２
2006338084.tif 000002
【特許請求の範囲】
【請求項１】
非危険場所から送られてくる空気をハウジング内に導入し、ハウジング内の圧力を高めて防爆構造とした内圧防爆型の端末機において、
ハウジング内にカードリーダ本体を設け、カードリーダ本体の前面のハウジングにカード挿入口を設け、該カード挿入口にカードガイドと中空パッキンで構成された気密保持手段を設けたことを特徴とする内圧防爆型の端末機。
【請求項２】
前記カードガイドは下板に固定され、前記中空パッキンは円筒状の中空部と鰐口状のクランプ部で構成され、中空部がカードガイドに対向し、クランプ部が上板に固定され、そして下板はハウジングに固定され、上板は下板に調整ネジで取り付けられ、上板はハウジングに設けられた上板挿入溝に気密で可摺動に取り付けられている請求項１に記載の内圧防爆型の端末機。
【発明の詳細な説明】
【技術分野】
【０００１】
本発明は、ＬＰガス、水素ガス、及び天然ガス等のガス充填所で、可燃性ガスが漂う場所に設置される内圧防爆型の端末機に関する。
【背景技術】
【０００２】
ＬＰガス、水素ガス、及び天然ガス等のガスは引火性が強く危険であるので、これらのガスを取り扱う場所に設置される端末機は内圧防爆型が使用されている。
内圧防爆型の端末機は、端末機のハウジング内に非危険場所の空気を送り込んでハウジング内の圧力を高め、ハウジング内に周囲の可燃性ガスが流入しないようにしたものである。
【０００３】
このような内圧防爆型の端末機のランニングコストを押さえるために、ハウジングを気密に作って空気の洩れる量を少なくしているが、カードリーダのカード挿入口及びプリンタの伝票排出口からの空気の洩れ量は大きいものである。
本出願人は、伝票発行するときにだけハウジング内に空気を送り、伝票発行後に送気を停止してランニングコストを押さえた端末機を提案している（特許文献１）。このものは有効であるが、使用頻度が高い端末機では有効でなく、またカードリーダは防爆構造のハンドスキャン型を端末機の外に設けることになる。
【０００４】
ハンドスキャン型のカードリーダは、スキャン速度により読み取りエラーが発生し易く、ハウジング外に設けるのでゴミ及び雨滴により劣化し、読み取りエラーが発生し易やすい不都合がある。
【特許文献１】特開平６−１０００９８号
【発明の開示】
【発明が解決しようとする課題】
【０００５】
本発明は上記に鑑みてなされたもので、空気の洩れ量を極力少なくして、ランニングコストを低く押さえることができる内圧防爆型の端末機を提供することを目的としている。
【課題を解決するための手段】
【０００６】
本発明は、非危険場所から送られてくる空気をハウジング（２）内に導入し、ハウジング（２）内の圧力を高めて防爆構造とした内圧防爆型の端末機（１）において、ハウジング（２）内にカードリーダ本体（１３）を設け、カードリーダ本体（１３）の前面のハウジング（２）にカード挿入口（１８）を設け、該カード挿入口（１８）にカードガイド（２１）と中空パッキン（２２）で構成された気密保持手段（２０）を設けている。
【０００７】
そして、前記カードガイド（２１）は下板（２４）に固定され、前記中空パッキン（２２）は円筒状の中空部（２２ａ）と鰐口状のクランプ部（２２ｂ）で構成され、中空部（２２ａ）がカードガイド（２１）に対向し、クランプ部（２２ｂ）が上板（２５）に固定され、そして下板（２４）はハウジング（２）に固定され、上板（２５）は下板（２４）に調整ネジ（２７）で取り付けられ、上板（２５）はハウジング（２）に設けられた上板挿入溝（２８）に気密で可摺動に取り付けられている。
また、前記中空パッキン（２２）の円筒状の中空部（２２ａ）に低摩擦フイルム（２６）を貼ることが、カード（２３）がカードリーダ（３）にスムーズに挿入される点で好ましい。
【発明の効果】
【０００８】
（１）  気密保持手段により空気の洩れを極力少なくしたので、ランニングコストを下げることができる。
（２）  カードリーダ本体を端末機のハウジング内に設けたので、カードリーダの耐久性が増し、読み取りエラーが少なくなる。
（３）  中空パッキンのカードガイドへの押圧力を調整ネジで調整できるので、気密性の確保が容易である。
（４）  中空パッキンの円筒状の中空部に低摩擦フイルムを貼ることにより、カードがスムーズに挿入されるようになる。
【発明を実施するための最良の形態】
【０００９】
以下、本発明の実施の形態を図に基づいて説明する。
図１は内圧防爆型の端末機の断面図で、端末機１のハウジング２は気密に作られ、ハウジング２内には、カードリーダ３、プリンタ４、及びタッチパネル５が設けられている。
【００１０】
ハウジング２は配管６を介してコンプレッサ７に接続され、配管６には減圧弁８が介装されている。カードリーダ３、プリンタ４、及びタッチパネル５はコントローラ９に接続され、コントローラ９は、信号線１０を介して制御装置１１及びガス充填装置１２に接続されている。
【００１１】
なお、コンプレッサ７及び制御装置１１は、可燃性ガスが存在しない安全な場所に設けられている。
【００１２】
図２はカードリーダ３の部分の断面図で、図３はカードリーダ３の気密保持手段の斜視図である。
図２に示すように、カードリーダ３のカードリーダ本体１３はハウジング２内に設けられ、カードリーダ本体１３の前面のハウジング２は内側に凹部１４が形成され、凹部１４には上端が軸支１５された蓋１６が設けられている。
【００１３】
凹部１４には開口１７が開けられ、開口１７はカード挿入口１８を有するシール板１９で塞がれ、カード挿入口１８の内側には気密保持手段２０が設けられている。
図３に示すように、気密保持手段２０は、カードガイド２１と中空パッキン２２で構成されている。
【００１４】
カードガイド２１は滑りが良い樹脂製で、挿入されるカード２３の両端のシールを保つために幅Ｈ１はカード２３の幅Ｈ２より４０ｍｍ〜５０ｍｍ長く、カード２３の反りを防ぐために幅Ｈ３は１５ｍｍ〜３０ｍｍである。そして、カードガイド２１は下板２４に固定されている。
【００１５】
中空パッキン２２は可撓性樹脂又はゴム製で、円筒状の中空部２２ａと鰐口状のクランプ部２２ｂで構成され、中空部２２ａはカードガイド２１に対向し、クランプ部２２ｂには上板２５が挿入されている。このクランプ部２２ｂには内側に向いた歯２２ｃが形成され、上板２５から外れないようになっている。
【００１６】
中空パッキン２２はカードガイド２１と同様に、挿入されるカード２３の両端のシールを保つために幅はカード２３の幅より４０ｍｍ〜５０ｍｍ長い。
中空部２２ａには低摩擦フイルム２６が貼られ、挿入されるカード２３の滑りを良くしている。この低摩擦フイルム２６としては、超高分子量ポリエチレンフイルム（住友スリーエム株式会社製のスコッチ印ウルトラテープ）が好適に使用できる。
【００１７】
中空部２２ａはカードガイド２１に密接して気密を保ち、カード２３が挿入されたときはカード２３に密接しながら撓んで気密を保つ。
上板２５は下板２４にネジ２７で取り付けられ、ネジ２７を調整することにより中空部２２ａのカードガイド２１への押し圧力が調整され、最適の気密が確保できるようになっている。
【００１８】
気密保持手段２１の下板２４はハウジング２に固定され、上板２５はハウジング２に設けられた上板挿入溝２８に気密で可摺動に挿入されている。そして、中空部２２ａはシール板１９に密接して気密を保っている。
図４はプリンタ４の部分の断面図で、プリンタ本体３０はハウジング２内に設けられ、プリンタ本体３０の前面のハウジング２は内側に凹部３１が形成され、凹部３１には上端が軸支３２された蓋３３が設けられている。
【００１９】
凹部３１には伝票排出口３４が開けられ、伝票排出口３４の内側には伝票案内具３５が設けられている。伝票案内具３５はハ字状に形成され、先端の狭い部分のスペースは伝票２枚強位である。そして待機中は、次に印字される伝票３６の先端が伝票排出口３４から少し出て位置し、伝票排出口３４から洩れる空気の洩れ量を少なく押えている。
プリンタ本体３０には、ロール状の伝票３６、印字機３７、及びカッター３８が設けられている。
【００２０】
このように構成された内圧防爆型の端末機１は、水素ガス又は天然ガス等の充填所の可燃性ガスが漂う可能性が有る場所に設置される。コンプレッサ７から送られてくる空気は、減圧弁８で適圧に減圧されてハウジング２内に流入し、ハウジング２内を一定圧以上に保ち、ハウジング２内に可燃性ガスが流入する虞がない。
ハウジング２内の圧力が高くなると、カード挿入口１８及び伝票排出口３４から空気が流出しようとするが、カード挿入口１８は気密保持手段２０により気密にシールされ、伝票排出口３４は伝票３６によりシールされているので、空気の流出量は僅かである。
【００２１】
カード２３をカードリーダ３で読むには、蓋１６を上方へ回動し、カード挿入口１８からカード２３を挿入する。中空パッキン２２の押し圧力に抗してカード２３を押し込み、カード２３の先端がカードリーダ本体１３に少し入ると、カード２３はカードリーダ本体２３内に引き込まれ、読み取り後に排出される。
【００２２】
排出されたときにカード２３は、カードガイド２１と中空パッキン２２に挟まれていて下に落ちることがない。そして、中空パッキン２２の押し圧力に抗してカード２３を引き出し、蓋１６をする。
【００２３】
カード挿入口１８にカード２３がない時は中空パッキン２２の中空部２２ａはカードガイド２１に密着し空気の洩れを防止し、カード挿入口１８にカード２３が有るときは中空パッキン２２の中空部２２ａはカード２３に密着し、カード２３はカードガイド２１に密着し空気の洩れを防止する。
【００２４】
カードリーダ３で読まれたカードデータは、コントローラ９を介して制御装置１１に送られる。そして、タッチパネル５で所望のガス充填データを入力し、ガス充填装置１２で自動車へガスを充填し、充填データはプリンタ４で伝票に印字される。
【００２５】
図４に示すように、待機中のプリンタ４の伝票排出口３４は伝票３６の先端により塞がれ、空気の洩れ量は少なく押えられている。印字機３７で印字が始まると、伝票３６は伝票排出口３４から徐々に排出され、印字が終わると伝票３６がカッター３８で切断される。
【００２６】
図５に示すように、今回の伝票３６ａが切断された状態で、伝票３６ａの後方は伝票排出口３４の内側に残っている。そして、次の伝票３６ｂが送られ、伝票３６ｂの先端が伝票排出口３４から少し出る位置で止まる。
【００２７】
このように今回の伝票３６ａが有るうちに次の伝票３６ｂが伝票排出口３４の所まで送られるので、次の伝票３６ｂは今回の伝票３６ａに案内されて伝票排出口３４まで移動でき、伝票排出口３４の所で伝票が詰まる虞がない。
そして、蓋３３を開いて伝票３６ａを取り出す。伝票３６ａを取り出したときに次の伝票３６ｂが伝票排出口３４を塞いでいるので、空気の洩れ量は少なく押えられる。
【産業上の利用可能性】
【００２８】
内圧防爆型の端末機内にカードリーダを組みこんでも、空気の洩れ量が少なく、ランニングコストを低く押えられるので、内圧防爆型の端末機の普及促進が図られるようになる。
【図面の簡単な説明】
【００２９】
【図１】本発明の内圧防爆型の端末機の断面図。
【図２】内圧防爆型の端末機第のカードリーダ部分の断面図。
【図３】カードリーダの気密保持手段の斜視図。
【図４】内圧防爆型の端末機第のプリンタ部分の断面図。
【図５】プリンタの動作を説明する断面図。
【符号の説明】
【００３０】
１・・・端末機
２・・・ハウジング
３・・・カードリーダ
４・・・プリンタ
５・・・タッチパネル
６・・・配管
７・・・コンプレッサ
８・・・減圧器
９・・・コントローラ
１０・・・信号線
１１・・・制御装置
１２・・・ガス充填装置
１３・・・カードリーダ本体
１４、３１・・・凹部
１５、３２・・・軸支
１６、３３・・・蓋
１７・・・開口
１８・・・カード挿入口
１９・・・シール板
２０・・・気密保持手段
２１・・・カードガイド
２２・・・中空パッキン
２２ａ・・・中空部
２２ｂ・・・クランプ部
２２ｃ・・・歯
２３・・・カード
２４・・・下板
２５・・・上板
２６・・・低摩擦フイルム
２７・・・調整ネジ
２８・・・上板挿入溝
３０・・・プリンタ本体
３４・・・伝票排出口
３５・・・伝票ガイド
３６・・・伝票
３７・・・印字機
３８・・・カッタ
【図１】
2006338084.tif 000003
【図２】
2006338084.tif 000004
【図３】
2006338084.tif 000005
【図４】
2006338084.tif 000006
【図５】
2006338084.tif 000007